【手続補正書】
【提出日】平成20年7月29日(2008.7.29)
【手続補正１】
【補正対象書類名】明細書
【補正対象項目名】発明の名称
【補正方法】変更
【補正の内容】
【発明の名称】情報処理装置および情報処理システムおよび情報処理装置の制御方法およびプログラム
【手続補正２】
【補正対象書類名】明細書
【補正対象項目名】特許請求の範囲
【補正方法】変更
【補正の内容】
【特許請求の範囲】
【請求項１】  ネットワークを介して他の情報処理装置と通信可能な情報処理装置であって、
前記情報処理装置を、電力消費を節減する節電モードに移行させるか否かを判断する判断手段と、
前記節電モードに移行させると前記判断手段が判断したことに応じて、前記他の情報処理装置を前記節電モードに移行させるための節電モード移行命令を前記他の情報処理装置に送信する送信手段と、
前記送信手段が前記節電モード移行命令を送信したことに応じて、前記情報処理装置を前記節電モードに移行させるよう制御する制御手段と、
を有することを特徴とする情報処理装置。
【請求項２】  前記情報処理装置を前記節電モードに移行させるべきタイミングを設定する設定手段を有し、
前記判断手段は、前記設定手段により設定されたタイミングとなった場合に、前記画像形成装置を前記節電モードへ移行させると判断することを特徴とする請求項１に記載の情報処理装置。
【請求項３】  前記制御手段は、前記送信手段が前記節電モード移行命令を送信した後に一定時間が経過したことに応じて、前記情報処理装置を前記節電モードに移行させることを特徴とする請求項１又は２に記載の情報処理装置。
【請求項４】  前記情報処理装置は、前記ネットワークを介して複数の前記他の情報処理装置と通信可能であり、
前記複数の他の情報処理装置のうち、前記情報処理装置と同一のグループに属する前記他の情報処理装置を特定する特定情報を取得する取得手段を有し、
前記送信手段は、前記複数の他の情報処理装置のうち、前記取得手段により取得された前記特定情報により特定される前記他の情報処理装置に前記節電モード移行命令を送信することを特徴とする請求項１乃至３のいずれか１項に記載の情報処理装置。
【請求項５】  前記取得手段は、前記ネットワークを介して通信可能なサーバ装置から前記特定情報を取得することを特徴とする請求項４に記載の情報処理装置。
【請求項６】  情報処理装置と、前記情報処理装置とネットワークを介して通信可能な他の情報処理装置とを含む情報処理システムであって、
前記情報処理装置を、電力消費を節減する節電モードに移行させるか否かを判断する判断手段と、
前記情報処理装置を前記節電モードに移行させると前記判断手段が判断したことに応じて、前記他の情報処理装置を前記節電モードに移行させるための節電モード移行命令を前記情報処理装置から前記他の情報処理装置に送信する送信手段と、
前記送信手段が前記節電モード移行命令を送信したことに応じて、前記情報処理装置を前記節電モードに移行させるよう制御する第１の制御手段と、
を有することを特徴とする情報処理システム。
【請求項７】  前記情報処理装置を前記節電モードに移行させるべきタイミングを設定する設定手段を有し、
前記判断手段は、前記設定手段により設定されたタイミングとなった場合に、前記画像形成装置を前記節電モードへ移行させると判断することを特徴とする請求項６に記載の情報処理システム。
【請求項８】  前記第１の制御手段は、前記送信手段が前記節電モード移行命令を送信した後に一定時間が経過したことに応じて、前記情報処理装置を前記節電モードに移行させることを特徴とする請求項６又は７に記載の情報処理システム。
【請求項９】  前記情報処理システムは、複数の前記他の情報処理装置を含み、
前記複数の他の情報処理装置のうち、前記情報処理装置と同一のグループに属する前記他の情報処理装置を特定する特定情報を取得する取得手段を有し、
前記送信手段は、前記複数の他の情報処理装置のうち、前記取得手段により取得された前記特定情報により特定される前記他の情報処理装置に前記節電モード移行命令を送信することを特徴とする請求項６乃至８のいずれか１項に記載の情報処理システム。
【請求項１０】  前記情報処理システムは、前記特定情報を管理するサーバ装置を含み、
前記取得手段は、前記サーバ装置が管理する前記特定情報を取得することを特徴とする請求項９に記載の情報処理システム。
【請求項１１】  前記他の情報処理装置は、前記情報処理装置から前記節電モード移行命令を受信したことに応じて前記他の情報処理装置を前記節電モードに移行させるよう制御する第２の制御手段を有することを特徴とする請求項６乃至１０のいずれか１項に記載の情報処理システム。
【請求項１２】  ネットワークを介して他の情報処理装置と通信可能な情報処理装置における制御方法であって、
前記情報処理装置を、電力消費を節減する節電モードに移行させるか否かを判断する判断ステップと、
前記節電モードに移行させると前記判断ステップで判断したことに応じて、前記他の情報処理装置を前記節電モードに移行させるための節電モード移行命令を前記他の情報処理装置に送信する送信ステップと、
前記送信ステップで前記節電モード移行命令を送信したことに応じて、前記情報処理装置を前記節電モードに移行させるよう制御する制御ステップと、
を有することを特徴とする制御方法。
【請求項１３】  ネットワークを介して他の情報処理装置と通信可能な情報処理装置における制御方法であって、
前記情報処理装置を、電力消費を節減する節電モードに移行させるか否かを判断する判断ステップと、
前記節電モードに移行させると前記判断ステップで判断したことに応じて、前記他の情報処理装置を前記節電モードに移行させるための節電モード移行命令を前記他の情報処理装置に送信する送信ステップと、
前記送信ステップで前記節電モード移行命令を送信したことに応じて、前記情報処理装置を前記節電モードに移行させるよう制御する制御ステップと、
をコンピュータに実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、複数の情報処理装置がそれぞれ電力消費を節減する節電モードに移行可能な複数の情報処理装置がそれぞれ所定の通信媒体を介して通信可能な情報処理装置および情報処理装置の制御方法およびプログラムに関するものである。
【手続補正４】
【補正対象書類名】明細書
【補正対象項目名】００１５
【補正方法】変更
【補正の内容】
【００１５】
本発明は、上記の問題点を解決するためになされたもので、本発明の目的は、情報処理装置を節電モードに移行させる際に、他の情報処理装置を節電モードに移行させることで、各情報処理装置の節電モードを整合させることができる仕組みを提供することである。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
【課題を解決するための手段】
本発明に係る第１の発明は、ネットワークを介して他の情報処理装置と通信可能な情報処理装置であって、前記情報処理装置を、電力消費を節減する節電モードに移行させるか否かを判断する判断手段と、前記節電モードに移行させると前記判断手段が判断したことに応じて、前記他の情報処理装置を前記節電モードに移行させるための節電モード移行命令を前記他の情報処理装置に送信する送信手段と、前記送信手段が前記節電モード移行命令を送信したことに応じて、前記情報処理装置を前記節電モードに移行させるよう制御する制御手段とを有することを特徴とする。
【手続補正７】
【補正対象書類名】明細書
【補正対象項目名】００１８
【補正方法】変更
【補正の内容】
【００１８】
また、本発明に係る別の発明は、情報処理装置と、前記情報処理装置とネットワークを介して通信可能な他の情報処理装置とを含む情報処理システムであって、前記情報処理装置を、電力消費を節減する節電モードに移行させるか否かを判断する判断手段と、前記情報処理装置を前記節電モードに移行させると前記判断手段が判断したことに応じて、前記他の情報処理装置を前記節電モードに移行させるための節電モード移行命令を前記情報処理装置から前記他の情報処理装置に送信する送信手段と、前記送信手段が前記節電モード移行命令を送信したことに応じて、前記情報処理装置を前記節電モードに移行させるよう制御する第１の制御手段とを有することを特徴とする。
【手続補正８】
【補正対象書類名】明細書
【補正対象項目名】００１９
【補正方法】変更
【補正の内容】
【００１９】
さらに、本発明に係る別の発明は、ネットワークを介して他の情報処理装置と通信可能な情報処理装置における制御方法であって、前記情報処理装置を、電力消費を節減する節電モードに移行させるか否かを判断する判断ステップと、前記節電モードに移行させると前記判断ステップで判断したことに応じて、前記他の情報処理装置を前記節電モードに移行させるための節電モード移行命令を前記他の情報処理装置に送信する送信ステップと、前記送信ステップで前記節電モード移行命令を送信したことに応じて、前記情報処理装置を前記節電モードに移行させるよう制御する制御ステップとを有することを特徴とする。
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】削除
【補正の内容】
【手続補正３１】
【補正対象書類名】明細書
【補正対象項目名】００４２
【補正方法】削除
【補正の内容】
【手続補正３２】
【補正対象書類名】明細書
【補正対象項目名】００４３
【補正方法】削除
【補正の内容】
【手続補正３３】
【補正対象書類名】明細書
【補正対象項目名】００４４
【補正方法】削除
【補正の内容】
【手続補正３４】
【補正対象書類名】明細書
【補正対象項目名】００４５
【補正方法】削除
【補正の内容】
【手続補正３５】
【補正対象書類名】明細書
【補正対象項目名】００４６
【補正方法】削除
【補正の内容】
【手続補正３６】
【補正対象書類名】明細書
【補正対象項目名】０１８５
【補正方法】変更
【補正の内容】
【０１８５】
【発明の効果】
以上説明したように、本発明の情報処理装置によれば、情報処理装置を節電モードに移行させる際に、他の情報処理装置を節電モードに移行させることで、各情報処理装置の節電モードを整合させることができる。
【手続補正３７】
【補正対象書類名】明細書
【補正対象項目名】０１８６
【補正方法】削除
【補正の内容】